(57)【特許請求の範囲】
【請求項１】
ショアー硬度Ｄ65〜95の脛プレート21ａを有する脛部21の上端縁と、ショアー硬度Ｄ65〜95の膝カップ22ａを有する膝部22の下端縁と、該上端縁と該下端縁とを連結する連結パット部35の左右両外側に形成される凹所６，６とを、表て面側から覆い隠す左右横細長形状の傘型の被覆壁部14を備え、該被覆壁部14は弯曲凸状の表面１と、上記膝カップ22ａが差込まれる凹溝４と、上記脛プレート21ａが差込まれる凹溝５と、を有し、かつ、該被覆壁部14が、ショアー硬度Ｄ25〜55として該脛プレート21ａ及び該膝カップ22ａよりも硬度が小さい熱可塑性エラストマーから成り、さらに、直立姿勢及び屈曲姿勢に於て、傘型の該被覆壁部14の周縁部39が、上記脛プレート21ａの上端縁と上記膝カップ22ａの下端縁とに弾発的に圧接するようにしたことを特徴とするレッグガード。
【請求項２】
上記膝部22は、上記膝カップ22ａの裏側に位置する膝パット22ｂを有し、上記連結パット部35と、該連結パット部35の上方に位置する該膝パット22ｂとは、一体ものにて構成されている請求項１記載のレッグガード。
【発明の詳細な説明】
【０００１】
【発明の属する技術分野】
本発明は、野球等の球技用のレッグガードに関する。
【０００２】
【従来の技術】
一般に、レッグガードは、脛を保護する脛部と、膝を保護する膝部と、を有し、脛部と膝部とは連結パット部にて連結されている。
【０００３】
そして、その連結パット部は、（ＰＥ、ＰＵ、ＥＶＡ等から成る）凹凸を有する発泡ブロック体を、（合成皮革、人工皮革、ナイロン、ポリエステル等から成る）表生地及び裏生地とで、サンドウィッチ状に挟んで縫製することにより、製作されている。
【０００４】
しかしながら、連結パット部は、地面に接する度合いが多いため、上記連結パット部では、表面側からの破損を避けることができない。
そこで、従来、連結パット部の破損を防止するために、連結パット部の表側を、硬質樹脂からなるカバープレートで被覆していた（例えば、実用新案公告文献１参照）。
【０００５】
【実用新案公告文献１】
実公平１−３７６５０号公報
【０００６】
【発明が解決しようとする課題】
しかしながら、従来のように、連結パット部を硬質樹脂製カバープレートで被覆した場合、硬質のカバープレートが地面に接した時に、地面からの衝撃を直接に感じて、膝近傍に不快感を生じていた。
【０００７】
そこで、本発明は、表面に所望の形状・模様を容易に形成でき、衝撃吸収性を向上し、破損しにくい耐久性に優れたレッグガードを提供することを目的とする。
【０００８】
【課題を解決するための手段】
上述の目的を達成するために、本発明に係るレッグガードは、ショアー硬度Ｄ65〜95の脛プレートを有する脛部の上端縁と、ショアー硬度Ｄ65〜95の膝カップを有する膝部の下端縁と、該上端縁と該下端縁とを連結する連結パット部の左右両外側に形成される凹所とを、表て面側から覆い隠す左右横細長形状の傘型の被覆壁部を備え、該被覆壁部は弯曲凸状の表面と、上記膝カップが差込まれる凹溝と、上記脛プレートが差込まれる凹溝と、を有し、かつ、該被覆壁部が、ショアー硬度Ｄ25〜55として該脛プレート及び該膝カップよりも硬度が小さい熱可塑性エラストマーから成り、さらに、直立姿勢及び屈曲姿勢に於て、傘型の該被覆壁部の周縁部が、上記脛プレートの上端縁と上記膝カップの下端縁とに弾発的に圧接するようにしたものである。
また、上記膝部は、上記膝カップの裏側に位置する膝パットを有し、上記連結パット部と、該連結パット部の上方に位置する該膝パットとは、一体ものにて構成されている。
【０００９】
【発明の実施の形態】
以下、実施の形態を示す図面に基づき、本発明を詳説する。
【００１０】
図１と図２と図３は、本発明に係るレッグガードの実施の一形態を示す。本レッグガードは、脛を保護する脛部２１と、膝を保護する膝部２２と、を有し、脛部２１と膝部２２とは（裏側において）、連結パット部３５にて、連結されている。即ち、詳しくは、脛部２１の上端縁と、膝部２２の下端縁とを、裏側では連結パット部３５にて連結すると共に、表て面側から被覆壁部（被覆カバー片）１４にて、覆っている。この被覆壁部（被覆カバー片）１４は、前方へ弯曲凸状の表面１を有し、かつ、熱可塑性エラストマーから成る。図例では、正面視がラグビーボール型、又は、楕円型（長円型）若しくは（図示省略の）横長多角形等の左右横細長形状である。
【００１１】
なお、本レッグガードは、野球、ソフトボールなどのスポーツの、審判用、選手用に使用され、脚の前面側に被覆状に装着して使用される。具体的に述べると、本レッグガードは、長手方向の一側辺側に、複数の、端部にバックル雄部材３１が付設されたベルト３２…を有し、長手方向の他側辺側に、複数のバックル雌部材３０…を有し、ベルト３２…を脚に巻き付けて、バックル雄部材３１をバックル雌部材３０に（離脱自在に）係止することで、装着される。
【００１２】
脛部２１は、表側の脛プレート２１ａと裏側の脛パット２１ｂとからなり、膝部２２は、表側の膝カップ２２ａと裏側の膝パット２２ｂとからなる。脛プレート２１ａと膝カップ２２ａとは、ショアーＤ６５〜９５の硬度を有する硬質合成樹脂からなる。
【００１３】
連結パット部３５は、裏生地１０と、（ＰＥ、ＰＵ等の）板状発泡体１１と、からなり、発泡体１１と裏生地１０とが縁巻部２６にて一体状に固定（縫製）されている。また、この連結パット部３５の構成は、十分な弾性変形及び塑性変形が可能ならば、図例以外にも、設計変更自由であり、例えば、表て側にも裏生地１０と同様の生地を重ねても良い。なお、図２では、脛パット２１ｂ及び膝パット２２ｂを省略して描いている。
【００１４】
被覆壁部（被覆カバー片）１４は、射出成形された熱可塑性エラストマー（ＴＰＥ）から成り、ＴＰＥとしては、例えば、ポリウレタン系、ポリエステル系、ポリエチレン系、ポリスチレン系などがある。
【００１５】
被覆壁部１４は、脛プレート２１ａ及び膝カップ２２ａの硬度よりも小さな、ショアーＤ２５〜５５の軟質ＴＰＥから成るのが好ましく、（地面、ボール、走者のスパイク等との接触に対する）衝撃吸収性が一層向上したものとなる。即ち、被覆壁部１４の硬度がショアーＤ５５を越えると、地面からの衝撃を直に感じて不快感を生じ、被覆壁部１４の硬度がショアーＤ２５未満となると、耐衝撃性が劣る。
【００１６】
被覆壁部（被覆カバー片）１４は表面が左右上下に丸味をもって凸状に弯曲した曲面形状であり、その裏面側に於て、少なくとも上辺及び下辺に沿って、横断面略Ｌ字状の突片３４が設けられ、膝カップ２２ａが上方から差込まれる凹溝４、及び、脛プレート２１ａが下方から差込まれる凹溝５が、形成される。この突片３４と突片３４との間には内部空間１５が形成される。なお、被覆壁部（被覆カバー片）１４の裏面に、さらに、リブ部１６（図４（ロ）参照）を突設して、補強及び適度の弾性変形性を与えるも、好ましいことである。
【００１７】
連結パット部３５は、脛プレート２１ａの上端縁裏面と、膝カップ２２ａの下端縁裏面とに、ミシン糸９にて、縫製される。脛プレート２１ａの上端縁表面と膝カップ２２ａの下端縁表面に対して、被覆壁部１４の下縁・上縁の裏面が、摺動可能に接触し、図２（イ）から（ロ）のように膝を折曲げたり、（ロ）とは逆方向に伸ばすことができる。なお、連結パット部３５は、脛プレート２１ａ及び膝カップ２２ａに、かしめられたピンにて、固定させてもよい。
【００１８】
なお、図４（ロ）に示す如く、上記被覆壁部１４の裏面に、連結パット部３５と当接する複数のリブ部１６…を設けて、衝撃に強くなるようにしてもよい。このとき、図２に示すように、内部空間１５が空気層だけの場合では、クッション性が大きくて柔らかくなるのに対して、リブ部１６…を設ければクッション性が小さく、比較的剛性を高め得る。
【００１９】
あるいは、図４（イ）に示した裏面側の内部空間１５に（ＰＥ、ＰＵ、ＥＶＡ等の）発泡ブロック体１７を介装させて、耐衝撃性の自由度（弾発力と強度の設計の自由度）を増加させてもよく、また、図２のように被覆壁部１４の中央部近傍の肉厚を、耐衝撃性を高めるために、増大させてもよい。
【００２０】
なお、念を入れて言い換えれば、脛部２１（脛プレート２１ａ）の上端縁と膝部２２（膝カップ２２ａ）の下端縁とを、表て面側から覆うように左右横細長形状の傘型に、被覆壁部１４が形成されている。そして、図１に示すように、脛部２１の上端縁と、膝部２２の下端縁とを、連結する連結パット部３５の左右両側には、凹所６，６が生ずる。この左右の凹所６，６を表て面側から、左右横細長形状の被覆壁部１４が、覆い隠すようにカバーする。このように、選手の膝の左右側方からの衝突（衝撃）を、被覆壁部１４の周縁部３９の左右側方へ延伸した部位（側方延伸部位３９ａ，  ３９ａ）が、吸収して、選手の膝の左右側面を、保護できる。
【００２１】
そして図２（イ）に示すレッグガードの直立姿勢の場合、傘型の被覆壁部１４の周縁部３９が、脛プレート２１ａの上端縁と膝カップ２２ａの下端縁とに弾発的に圧接し、図２（ロ）に示すレッグガードの屈曲姿勢の場合、被覆壁部１４の周縁部３９が、脛プレート２１ａ及び膝カップ２２ａの揺動に追従して、脛プレート２１ａの上端縁と膝カップ２２ａの下端縁とに対して圧接しやすい。言い換えると、被覆壁部１４は、予め、レッグガードの屈曲姿勢状態でも、脛プレート２１ａ及び膝カップ２２ａに十分な弾発力をもって圧接するように、弯曲凸面状に射出成形される。
【００２２】
また、被覆壁部１４は、脛プレート２１ａ及び膝カップ２２ａよりも、硬度が小さいため、被覆壁部１４の周縁部３９は、脛プレート２１ａ及び膝カップ２２ａの動きに追従して、容易に弾性変形し、かつ、脛プレート２１ａ及び膝カップ２２ａに無理な曲げ力を付与することがない。
【００２３】
このように、レッグガードの直立乃至屈曲姿勢に於て、常時、被覆壁部１４の周縁部３９と、脛プレート２１ａ及び膝カップ２２ａと、の間に、隙間を生じにくくなる。従って、レッグガードを装着している使用者の（立位乃至座位の）あらゆる姿勢に於て、膝近傍を確実に保護することができる。
【００２４】
さらに、図１と図６に示すように、レッグガードの左右側面側に於て、被覆壁部１４の周縁部３９の側方延伸部位３９ａ，３９ａによって、連結パット部３５の左右の凹所６，６を覆い隠して、使用者（選手）のあらゆる姿勢に於て、膝の側面近傍を確実に保護することができる。
【００２５】
次に、図５と図６は他の実施の形態を示す。図５は要部正面図であり、図６はその拡大断面側面図である。この図５と図６に示すように、連結パット部３５は上方の膝パット２２ｂと一体ものにて構成されており、連結パット部３５は膝パット２２ｂよりも左右幅寸法が小さく設定されている。従って、連結パット部３５の左右側外方で、かつ、膝部２２と脛部２１との間によって形成された前記凹所６，６は、左右横細長形状の被覆壁部（被覆カバー片）１４によって、覆い隠されている。
【００２６】
また、連結パット部３５の下端縁は、カシメ連結金具７，７にて、脛部２１の上端縁に連結されている。（なお、図６では脛部２１の脛プレート２１ａのみを示して、脛パットを図示省略している。）そして、膝部２２に於て、膝カップ２２ａと膝パット２２ｂとは、ミシン糸９にて縫製している。なお、連結パット部３５（及び膝パット２２ｂ）の断面構造は、図６では簡略化して図示しており、実際は、図２に示す通り、又は、既述の通り、である。そして、被覆壁部１４の断面形状は、肉厚寸法を均等化した場合を図６に示し、さらに、突片３４は表面１の周縁部３９よりも内側に位置している。
【００２７】
次に、図７と図８と図９に、他の実施の形態を示し、被覆壁部（被覆カバー片）１４が、裏側の台座部３６と、脛部２１の上端縁と膝部２２の下端縁とを表面側から覆う本体部３７と、の予め成形された別部材から成り、台座部３６と本体部３７とが縫製にて一体状に固定されている。
【００２８】
具体的に述べると、本体部３７は、図７（イ）の側面断面図と、図７（ロ）の平面図と、に示すように、表て面側へ凸状に弯曲した弯曲凸面状の表面１を有し、表面１には環状の縫製用凹溝３８が形成されている。
【００２９】
台座部３６は、図８（イ）の側面断面図と、図８（ロ）の平面図と、に示すように、上方（表て面側）へ突出した膨出部４０を有している。
【００３０】
そして、図９に示すように、台座部３６の膨出部４０の上壁部に、本体部３７を載置し、本体部３７の縫製用凹溝３８の溝底に、台座部３６に縫製するミシン糸９を配設することで、台座部３６と本体部３７とを一体状に連結する。このようにして、図２や図６で示した側外方へ開口する凹溝４，５を形成している。このようにして、本体部３７の周縁部３９を、縫製用凹溝３８（ミシン糸９）近傍廻りに、容易に揺動させることができる。
【００３１】
なお、図１０に示すように、被覆壁部１４の周縁部３９の上縁と、膝カップ２２ａとを、カシメ連結金具７，７にて連結してもよく、被覆壁部１４にて膝カップ２２ａを確実に覆うことができる。このとき、膝の屈伸運動に追従して、周縁部３９の下縁が、脛プレート２１ａの上部表面に上下方向に摺動する。
【００３２】
被覆壁部（被覆カバー片）１４の裏面側を、予め、脚（膝下部）に対応した凹曲面状とすることで、選手の膝、及び、膝部２２と脛部２１にフィットしやすい。なお、表面１を予め、革皺模様として、成形してもよい。要するに、射出成形用金型に、上記形状・模様を形成しておくことで、被覆壁部１４に上記形状・模様を形成することができる。
【００３３】
次に、図１１は別の実施の形態を示す。この図１１に於ては、図９と同様に、被覆壁部１４が本体部３７と台座部３６とを有し、いずれもショアー硬度Ｄが２５〜５５とする。そして、カシメ連結金具７，７によって、本体部３７と台座部３６とを連結して、一体状として、凹溝４，５を形成し、さらに、本体部３７の突隆部２の裏面（内部）に、発砲ブロック体１７を充填（収納）する。
【００３４】
なお、図１４に示すように、（図１１の突隆部２を省略して、）本体部３７と台座部３６とを中央部位で密接させて、カシメ連結金具７，７にて連結し、さらに、発砲ブロック体１７を、台座部３６と連結パット部３５との間に介装しても良い。また、図１４及び図１１では、連結パット部３５を簡略化して断面で示したが、この連結パットッ部３５は図４と同様、又は既述と同様の構成とする。
【００３５】
そして、図１２と図１３は、図１１に示した被覆壁部（被覆カバー片）１４を、脛部２１と膝部２２の間に取付けた状態を示す。図５，図６と同一符号は同様の構成であるので、説明を省略する。
【００３６】
【発明の効果】
本発明は上述の如く構成されるので、次に記載する効果を奏する。
【００３７】
被覆壁部14の設計の自由度が高くなり、選手の膝を確実に保護できる所望の凸状弯曲面形状とすることができ、また、各種の凹凸模様やしわ模様を容易に形成できる。また、被覆壁部14の肉厚等を自由に変えることができ、衝撃吸収性（クッション性）が向上する。また、滑り込んでくる走者のスパイクの引っ掛かり、又は、地面との摩擦等による破損を防止することができる。
【００３８】
また、脛部21と膝部22との間の左側方・右側方の凹所６，６を覆い隠してカバーできて、膝近傍横側を確実に保護することができる。
また、レッグガードの直立乃至屈曲姿勢に於て、常時、被覆壁部14の周縁部39と、脛プレート21ａ及び膝カップ22ａと、の間に、隙間を生じにくくなる。従って、レッグガードを装着している使用者の（立位乃至座位の）あらゆる姿勢に於て、膝近傍を確実に保護することができる。
また、表面１に適度の軟質性を与えることができ、表面１の衝撃吸収性を一層向上させることができる。
【図面の簡単な説明】
【図１】本発明の実施の一形態を示す正面図である。
【図２】図１のＣ−Ｃ断面図である。
【図３】要部斜視図である。
【図４】他の実施の形態を示す断面図である。
【図５】別の実施の形態を示す正面図である。
【図６】要部拡大側面図である。
【図７】本体部の構成説明図である。
【図８】台座部の構成説明図である。
【図９】組立状態を示す断面図である。
【図１０】本発明のさらに他の実施の形態を示す正面図である。
【図１１】さらに別の実施の形態を示す断面図である。
【図１２】取付状態の断面側面図である。
【図１３】正面図である。
【図１４】別の実施の形態を示す断面図である。
【符号の説明】
１  表面
２  突隆部
４  凹溝
５  凹溝
６  凹所
９  ミシン糸
14  被覆壁部（被覆カバー片）
21  脛部
21ａ  脛プレート
22  膝部
22ａ  膝カップ
35  連結パット部
36  台座部
37  本体部
38  縫製用凹溝
39  周縁部
39ａ  側方延伸部位
【図１】
0003616084.tif 000002
【図２】
0003616084.tif 000003
【図３】
0003616084.tif 000004
【図４】
0003616084.tif 000005
【図５】
0003616084.tif 000006
【図６】
0003616084.tif 000007
【図７】
0003616084.tif 000008
【図８】
0003616084.tif 000009
【図９】
0003616084.tif 000010
【図１０】
0003616084.tif 000011
【図１１】
0003616084.tif 000012
【図１２】
0003616084.tif 000013
【図１３】
0003616084.tif 000014
【図１４】
0003616084.tif 000015